(57)【要約】      （修正有）【課題】光学透明粘着層内の水分を蒸発・乾燥させて、表示面の曇りを素早く取り除くことが可能な静電容量式の入力装置を提供する。【解決手段】高さ方向に光学透明粘着層を介して積層された複数の透明基材と、少なくともいずれか一つの前記透明基材の表面に形成された透明電極１４と、を有し、上面に入力操作可能な表示面が設けられ、前記透明電極１４は、前記表示面と高さ方向で対向する表示領域１１内に設けられており、前記表示面での入力操作位置を、前記透明電極を有して構成される静電容量センサの静電容量変化に基づき検知可能とされており、前記透明電極１４が形成された前記透明基材３２の表面であって、前記透明電極１４の非形成領域に透明な発熱体１６が設けられている。【選択図】図１
2012069050.tif 000002
【特許請求の範囲】
【請求項１】
高さ方向に光学透明粘着層を介して積層された複数の透明基材と、少なくともいずれか一つの前記透明基材の表面に形成された透明電極と、を有し、上面に入力操作可能な表示面が設けられ、前記透明電極は、前記表示面と高さ方向で対向する表示領域内に設けられており、前記表示面での入力操作位置を、前記透明電極を有して構成される静電容量センサの静電容量変化に基づき検知可能とされており、
前記透明電極が形成された前記透明基材の表面であって、前記透明電極の非形成領域に透明な発熱体が設けられていることを特徴とする静電容量式の入力装置。
【請求項２】
前記発熱体は、間隔を空けて配列された各透明電極の間に設けられ、各発熱体が直列に接続されている請求項１記載の静電容量式の入力装置。
【請求項３】
前記静電容量式センサは、下部透明基材の表面に下部透明電極が形成された下部基板と、上部透明基材の表面に上部透明電極が形成され、前記下部基板よりも表示面側に位置する上部基板と、前記下部基板と前記上部基板との間に介在する前記光学透明粘着層とを有して構成されており、
あるいは前記静電容量センサは、透明基材の下面に下部透明電極が形成され、上面に上部透明電極が形成された構成であり、
前記発熱体は、前記下部透明電極が形成された前記下部透明基材の表面であって、前記下部透明電極の非形成領域に設けられる請求項１又は２に記載の静電容量式の入力装置。
【請求項４】
高さ方向に光学透明粘着層を介して積層された複数の透明基材と、少なくともいずれか一つの前記透明基材の表面に形成された透明電極と、を有し、上面に入力操作可能な表示面が設けられ、前記透明電極は、前記表示面と高さ方向で対向する表示領域内に設けられており、前記表示面での入力操作位置を、前記透明電極を有して構成される静電容量センサの静電容量変化に基づき検知可能とされており、
前記静電容量センサの下面側の前記表示領域に、ミアンダ状からなる透明な発熱体が設けられることを特徴とする静電容量式の入力装置。
【請求項５】
前記発熱体は、前記透明基材の表面に形成されており、前記静電容量センサを構成する前記透明基材と、前記発熱体が形成された前記透明基材との間が前記光学透明粘着層を介して接合されている請求項４記載の静電容量式の入力装置。
【請求項６】
前記静電容量センサの上面側に、表面が前記表示面である前記透明基材としてのフロントパネルが設けられ、前記フロントパネルと、前記静電容量センサを構成する透明基材との間が前記光学透明粘着層を介して接合されている請求項１ないし５のいずれか１項に記載の静電容量式の入力装置。
【請求項７】
前記発熱体は、前記透明電極と同じ材質で形成されている請求項１ないし６のいずれか１項に記載の静電容量式の入力装置。
【発明の詳細な説明】
【技術分野】
【０００１】
本発明は、静電容量センサを有し、複数の透明基材間を光学透明粘着層で接合した積層構成の入力装置に係り、特に表示面の曇り防止対策に関する。
【背景技術】
【０００２】
静電容量式のタッチパネル（入力装置）は、複数の透明基材間が光学透明粘着層（ＯＣＡ）により密着した積層構造を構成している。
【０００３】
このような構成にあっては、高湿環境下に置かれると、光学透明粘着層が吸湿、結露することで、入力装置の表示面が曇るといった問題があった。
【０００４】
例えば、以下の特許文献には、タッチパネルにヒーター（発熱体）を設けた構成が開示されている。
【０００５】
しかしながら各特許文献では、静電容量式の入力装置において、光学透明粘着層内の水分を蒸発・乾燥させて、表示面の曇りを取り除くための具体的構成が開示されていない。
【先行技術文献】
【特許文献】
【０００６】
【特許文献１】実開昭６２−３２４４５号公報
【特許文献２】実開昭６０−１６７４３６号公報
【特許文献３】特開２００５−７０８１３号公報
【発明の概要】
【発明が解決しようとする課題】
【０００７】
そこで本発明は上記従来の課題を解決するためのものであり、特に、光学透明粘着層内の水分を蒸発・乾燥させて、表示面の曇りを素早く取り除くことが可能な静電容量式の入力装置を提供することを目的とする。
【課題を解決するための手段】
【０００８】
本発明における静電容量式の入力装置は、
高さ方向に光学透明粘着層を介して積層された複数の透明基材と、少なくともいずれか一つの前記透明基材の表面に形成された透明電極と、を有し、上面に入力操作可能な表示面が設けられ、前記透明電極は、前記表示面と高さ方向で対向する表示領域内に設けられており、前記表示面での入力操作位置を、前記透明電極を有して構成される静電容量センサの静電容量変化に基づき検知可能とされており、
前記透明電極が形成された前記透明基材の表面であって、前記透明電極の非形成領域に透明な発熱体が設けられていることを特徴とするものである。
【０００９】
このように、発熱体を設けたことで、発熱体のジュール熱により光学透明粘着層内の水分を蒸発・乾燥させて、表示面の曇りを取り除くことが出来る。特に、発熱体を透明電極が形成された透明電極の表面であって、透明電極の非形成領域に設けたことで、発熱体と光学透明粘着層との距離を近づけることができ、素早く蒸発・乾燥させることができ発熱効果を高めることが可能である。また発熱体を透明電極と同一面に形成したことで、入力装置の薄型化を実現できる。
【００１０】
本発明では、前記発熱体は、間隔を空けて配列された各透明電極の間に設けられ、各発熱体が直列に接続されていることが好ましい。これにより、各発熱体を直列接続してなるヒーターパターンの抵抗値を増大させることができ、発熱効果を高めることができる。
【００１１】
また本発明では、前記静電容量式センサは、下部透明基材の表面に下部透明電極が形成された下部基板と、上部透明基材の表面に上部透明電極が形成され、前記下部基板よりも表示面側に位置する上部基板と、前記下部基板と前記上部基板との間に介在する前記光学透明粘着層とを有して構成されており、
あるいは前記静電容量センサは、透明基材の下面に下部透明電極が形成され、上面に上部透明電極が形成された構成であり、
前記発熱体は、前記下部透明電極が形成された前記下部透明基材の表面であって、前記下部透明電極の非形成領域に設けられることが好ましい。これにより、良好なセンサ感度を維持しつつ、発熱効果に優れた入力装置に出来る。
【００１２】
あるいは本発明における静電容量式の入力装置は、
高さ方向に光学透明粘着層を介して積層された複数の透明基材と、少なくともいずれか一つの前記透明基材の表面に形成された透明電極と、を有し、上面に入力操作可能な表示面が設けられ、前記透明電極は、前記表示面と高さ方向で対向する表示領域内に設けられており、前記表示面での入力操作位置を、前記透明電極を有して構成される静電容量センサの静電容量変化に基づき検知可能とされており、
前記静電容量センサの下面側の前記表示領域に、ミアンダ状からなる透明な発熱体が設けられることを特徴とするものである。
【００１３】
これにより、簡単な構成で、光学粘着層内の水分を蒸発・乾燥させて、表示面の曇りを取り除くことが出来る。特に、静電容量センサの下面側の表示領域に発熱体を設けることで、発熱体を適切且つ簡単にミアンダ形状に形成でき、発熱効果の優れた構成に出来る。
【００１４】
また本発明では、前記発熱体は、前記透明基材の表面に形成されており、前記静電容量センサを構成する前記透明基材と、前記発熱体が形成された前記透明基材との間が前記光学透明粘着層を介して接合されている構成にできる。
【００１５】
また本発明では、前記静電容量センサの上面側に、表面が前記表示面である前記透明基材としてのフロントパネルが設けられ、前記フロントパネルと、前記静電容量センサを構成する透明基材との間が前記光学透明粘着層を介して接合されている構成に好ましく適用できる。
【００１６】
また本発明では、前記発熱体を、前記透明電極と同じ材質で形成することが可能である。
【発明の効果】
【００１７】
本発明の静電容量式の入力装置によれば、光学透明粘着層内の水分を蒸発・乾燥させて、表示面の曇りを素早く取り除くことが可能である。
【図面の簡単な説明】
【００１８】
【図１】図１（ａ）は、第１の実施形態における静電容量式の入力装置（タッチパネル）の下部基板の平面図、図１（ｂ）は、図１（ａ）の部分拡大平面図、
【図２】上部基板の平面図、
【図３】第１の実施形態における入力装置をＹ１−Ｙ２方向に向けて切断したときの部分縦断面図、
【図４】図３とは異なる形態の入力装置の部分縦断面図、
【図５】図３とは異なる形態の入力装置の部分縦断面図、
【図６】図６（ａ）は、第２の実施形態における静電容量式の入力装置（タッチパネル）の部分縦断面図、図６（ｂ）は、第２の実施形態における発熱体の平面図、
【図７】図１とは異なる入力装置の下部基板の平面図、
【図８】図２とは異なる入力装置の上部基板の平面図、
【図９】図９（ａ）は、図１、図２、図７、図８と異なる形態の入力装置の部分平面図、図９（ｂ）は、部分縦断面図。
【発明を実施するための形態】
【００１９】
図１（ａ）は、第１の実施形態における静電容量式の入力装置（タッチパネル）の下部基板の平面図、図１（ｂ）は、図１（ａ）の部分拡大平面図、図２は上部基板の平面図、図３は、第１の実施形態における入力装置をＹ１−Ｙ２方向に向けて切断したときの部分縦断面図、図４，図５は、図３とは異なる形態の入力装置の部分縦断面図である。
【００２０】
図１，図３に示す下部基板２２は、下部透明基材３２と下部透明基材３２の表面に形成された複数本の下部透明電極１４とを有して構成される。各下部透明電極１４は入力操作可能な表示領域１１内に形成される。
【００２１】
図１（ａ）に示すように下部透明電極１４は、Ｘ１−Ｘ２方向に延出する帯体状で形成されている。そして複数本の各下部透明電極１４は、Ｘ１−Ｘ２方向に直交するＹ１−Ｙ２方向に所定の間隔を空けて配列されている。
【００２２】
図１に示すように表示領域１１の周囲は額縁状の加飾領域（非表示領域）１２となっている。
【００２３】
ここで表示領域１１とは、図３に示す表示面２０ａと高さ方向で対向する領域を指し、加飾領域１２とは、表示面２０ａの周囲に設けられた加飾面（非透光面）と高さ方向で対向する領域を指す。
【００２４】
図１に示すように、加飾領域１２には各下部透明電極１４のＸ１−Ｘ２方向における端部と電気的に接続される複数本の配線部１５が形成されている。
【００２５】
図１に示すように、各配線部１５の先端は、フレキシブルプリント基板（図示しない）と電気的に接続される外部接続部２７を構成している。
【００２６】
図２，図３に示す上部基板２１は、上部透明基材３３と上部透明基材３３の表面に形成された複数本の上部透明電極１３とを有して構成される。各上部透明電極１３は表示領域１１内に形成される。
【００２７】
図２に示すように上部透明電極１３は、Ｙ１−Ｙ２方向に延出する帯体状で形成されている。そして図２に示すように複数本の上部透明電極１３は、Ｘ１−Ｘ２方向に所定の間隔を空けて配列されている。
【００２８】
図２に示すように、加飾領域１２には各上部透明電極１３のＹ１−Ｙ２方向における端部と電気的に接続される複数本の配線部１８が形成されている。
【００２９】
図２に示すように、各配線部１８の先端は、フレキシブルプリント基板（図示しない）と電気的に接続される外部接続部１９を構成している。上部基板２１に形成された外部接続部１９と、下部基板２２に形成された外部接続部２７（図１参照）とは平面的に重ならないように形成されることが好適である。
【００３０】
図３に示すように下部基板２２と上部基板２１との間は光学透明粘着層（ＯＣＡ）３０を介して接合されている。
【００３１】
下部基板２２と上部基板２１とが光学透明粘着層３０を介して積層された積層構造により静電容量センサ２４が構成される。
【００３２】
各透明電極１３，１４は、いずれも透明基材表面にＩＴＯ（Indium Tin Oxide）等の透明導電材料でスパッタや蒸着により成膜される。また透明基材３２，３３は、ポリエチレンテレフタレート（ＰＥＴ）等のフィルム状の透明基材やガラス基材等で形成される。また各配線部１５，１８は、Ｃｕ、Ｃｕ合金、ＣｕＮｉ合金、Ｎｉ、Ａｇ等の金属材料を有して形成される。
【００３３】
ここで、「透明」「透光性」とは可視光線透過率が６０％以上（好ましくは８０％以上）の状態を指す。更にヘイズ値が６以下であることが好適である。
【００３４】
図３に示すように、上部基板２１の上面側に光学透明粘着層（ＯＣＡ）３１を介してフロントパネル２０が接合されている。フロントパネル２０は特に材質を限定するものではないが、ガラス基材やプラスチック基材が好ましく適用される。なお図３は表示領域１１の構成を示しており、図３では図示しない加飾領域１２ではフロントパネル２０の下面に加飾層が形成されている。これにより、表示領域１１は厚み方向に対して透光性であるが、加飾領域１２は厚み方向に対して非透光性となっている。
【００３５】
図１ないし図３に示す静電容量式の入力装置では、図３に示すように指Ｆを表示領域１１の最上面（外面）に位置する入力操作可能な表示面２０ａに接触させると、静電容量センサ２４を構成する上下透明電極１３，１４間の静電容量に、指Ｆと指Ｆに近い上部透明電極１３間の静電容量が付加され、容量変化が生じる。そして、この容量変化に基づいて指Ｆの接触位置を算出することが可能である。
【００３６】
本発明における第１の実施形態では、図１（ａ）に示すように、各下部透明電極１４の間に、透明な発熱体１６が設けられる。なお図１（ａ）では、一本の発熱体１６にのみ符号１６を付けた。
【００３７】
各発熱体１６は、図１、図３に示すように、下部透明電極１４が形成された下部透明基材３２の表面３２ａであって、下部透明電極１４の非形成領域に形成される。この実施形態では図１（ｂ）、図３に示すように、各下部透明電極１４間にＸ１−Ｘ２方向に延出する２本の発熱体１６がＹ１−Ｙ２方向に間隔を空けて配置されるとともにＸ１側端部１６ａ，１６ａで接続されて一体となっている。また、各発熱体１６は、各下部透明電極１４と接触しないように形成されている。
【００３８】
そして図１（ｂ）に示すように、各下部透明電極１４間に設けられた各発熱体１６が配線部１７により直列に接続されている。配線部１７は加飾領域１２に配置されている。
【００３９】
本実施形態では、発熱体１６を、下部透明電極１４と同じ材質で形成することができる。すなわち下部透明電極１４をＩＴＯで形成すれば、発熱体１６をＩＴＯで形成することができる。特に、本実施形態では、発熱体１６を、下部透明電極１４と同じ下部透明基材３２の表面３２ａに形成するため、下部透明基材３２の全面に形成されたＩＴＯ膜をエッチングして下部透明電極１４を形成する工程で、同時に、発熱体１６を図１（ａ）（ｂ）に示す形状にパターン形成することが可能である。
【００４０】
図１（ａ）に示すように、直列に接続された各発熱体１６からなるヒーターパターン９の両端には配線部２３が加飾領域１２にて引き延ばされる。そして配線部２３の先端が外部接続部２８を構成している。
【００４１】
外部接続部２８により各発熱体１６に電流を流すことでジュール熱を発生させることが出来る。
【００４２】
図３に示すように、静電容量式の入力装置（タッチパネル）１の下面側（表示面２０ａとは逆側）には、液晶ディスプレイ（ＬＣＤ）２９が配置されている。液晶ディスプレイ２９の表示形態を表示面２０ａから見ることができ、また本実施形態では表示面２０ａに映し出された表示形態を見ながら入力操作を可能としている。
【００４３】
上記のように本実施形態では、発熱体１６を設けたことで、発熱体１６のジュール熱により各光学透明粘着層（ＯＣＡ）３０，３１内に高湿環境等で生じた水分を蒸発・乾燥させて、表示面２０ａの曇りを取り除くことが出来る。ここで表示面２０ａの曇りとは表示面２０ａ内部での曇りを指す。特に、第１の実施形態では、発熱体１６を下部透明電極１４が形成された下部透明基材３２の表面３２ａであって、下部透明電極１４の非形成領域に設けたことで、図３に示すように発熱体１６と各光学透明粘着層３０，３１との距離を近づけることができ、素早く各光学透明粘着層３０，３１内の水分を蒸発・乾燥させることができ発熱効果を高めることが可能である。また発熱体１６を下部透明電極１４と同一面に形成したことで、入力装置１の薄型化を実現できる。
【００４４】
第１の実施形態では、図１（ａ）（ｂ）、図３に示すように、各発熱体１６を、各下部透明電極１４の間に配置し、各発熱体１６を直列に接続している。これにより、限られた下部透明電極１４の非形成領域に各発熱体１６を効率よく配置でき、更に各発熱体１６を直列に接続してなるヒーターパターン９の抵抗値を増大させることができ、発熱効果をより効果的に高めることができる。
【００４５】
図１〜図３に示すように、発熱体１６を下部透明電極１４が形成された下部透明基材３２の表面３２ａに形成し、発熱体１６を上部透明基材３３側に形成していない。このように発熱体１６を下部基板２２側に設けることで、液晶ディスプレイ２９からの電気ノイズに対するシールド効果とともに、指Ｆを表示面２０ａ上で操作したときに適切に静電容量センサ２４において静電容量変化を生じさせることができ、操作位置を安定して検出することができる。
【００４６】
また同一基板の同一表面にＸ１−Ｘ２方向の透明電極と、Ｙ１−Ｙ２方向の透明電極の双方を配置せずに、図１〜図３に示すように、静電容量センサ２４を下部基板２２と上部基板２１とに分けることで、下部透明基材３２の表面３２ａに発熱体１６を形成可能な領域（下部透明電極１４の非形成領域）を適切に確保することができ、発熱体１６を効率的に配置することができる。
【００４７】
また図１，図３に示すように、下部透明電極１４は、Ｘ１−Ｘ２方向に平行に所定幅で延びる形態とすることが好適である。これにより各下部透明電極１４間に発熱体１６を形成するための領域を適切に確保できる。
【００４８】
また、図３では、下部基板２２の下部透明電極１４及び上部基板２１の上部透明電極１３を全て表示面２０ａ側に向けた状態で、下部基板２２と上部基板２１間が光学透明粘着層３０を介して接合されているが、図４のように、下部基板２２の下部透明電極１４及び発熱体１６を表示面２０ａ側に向けて、上部基板２１の上部透明電極１３を、表示面２０ａ側とは逆側（下面側）に向けた状態にして、下部基板２２と上部基板２１間が光学透明粘着層３０を介して接合されていてもよいし、あるいは、図５に示すように、一つの透明基材３８の下面に下部透明電極１４及び発熱体１６が形成され、前記透明基材３８の上面に上部透明電極１３が形成された形態とすることもできる。
【００４９】
図６（ａ）は、第２の実施形態における静電容量式の入力装置（タッチパネル）の部分縦断面図、図６（ｂ）は、第２の実施形態における発熱体の平面図である。
図６において図１ないし図３と同じ符号を付した部分は同じ部材を示している。
【００５０】
図６（ａ）に示す第２の実施形態でも第１の実施形態と同様に、下部透明基材３２の表面に下部透明電極１４が形成された下部基板２２と、上部透明基材３３の表面に上部透明電極１３が形成された上部基材２１とが光学透明粘着層（ＯＣＡ）３０を介して接合されて静電容量センサ２４が構成されている。
【００５１】
また図６（ａ）に示すように、上部基板２１の上面側には光学透明粘着層（ＯＣＡ）３１を介してフロントパネル２０が接合されている。
【００５２】
ただし第２の実施形態では、第１の実施形態と異なって、下部透明基材３２の表面であって、下部透明電極１４の非形成領域に、発熱体を設けていない。
【００５３】
第２の実施形態では図６（ａ）に示すように、下部基板２２の下面側の表示領域１１に、図６（ｂ）に示すミアンダ形状（葛折り状）の発熱体２５が配置されている。
【００５４】
図６（ａ）に示すように、発熱体２５は、透明基材２６の表面に形成されており、透明基材２６と下部基板２２との間が光学透明粘着層４５を介して接合されている。
【００５５】
図６（ａ）では、発熱体２５が形成された透明基材２６の面を上向き（表示面２０ａ方向）としているが、これにより発熱体２５と各光学透明粘着層３０，３１，４５との距離を小さくすることができて好適である。
【００５６】
図６（ｂ）に示すように、発熱体２５の両端には配線部４６が接続されており、前記配線部４６は、加飾領域１２にて引き延ばされる。そして配線部４６の先端が外部接続部４７を構成している。
【００５７】
外部接続部４７により各発熱体２５に電流を流すことでジュール熱を発生させることが出来る。
【００５８】
図６に示す第２の実施形態においても、発熱体２５を設けたことで、発熱体２５のジュール熱により各光学透明粘着層（ＯＣＡ）３０，３１，４５内に高湿環境等で生じた水分を蒸発・乾燥させて、表示面２０ａの曇りを取り除くことが出来る。特に、第２の実施形態では、静電容量センサ２４の下面側に透明な発熱体２５を設けているため、表示領域１１の全面を発熱体２５の形成領域として使用することが可能であり、発熱体２５を簡単且つ適切にミアンダ形状に形成でき、発熱効果に優れた構成にできる。
【００５９】
また図６（ａ）に示すように静電容量センサ２４の下面側に発熱体２５を設けることで、液晶ディスプレイ２９からの電気ノイズに対するシールド効果を適切に発揮することができる。
【００６０】
図７は図６の構成を適用可能な別の実施形態における入力装置の下部基板２２の平面図であり、図８は、図６の構成を適用可能な別の実施形態における入力装置の上部基板２１の平面図である。
【００６１】
図７に示すように各下部透明電極１４は、いずれも複数の第１電極部４０がＸ１−Ｘ２方向に、前記第１電極部４０より細い連結部４１を介して連設された形態である。各下部透明電極１４は、表示領域１１内に形成される。なお図７では一つの第１電極部４０及び連結部４１にのみ符号を付した。図７では、第１電極部４０の形状が略菱形形状で形成されているが、この形状に限定するものではない。
【００６２】
そして図７に示すように各下部透明電極１４は、Ｙ１−Ｙ２方向に所定の間隔を空けて配列されている。
【００６３】
また図８に示すように、上部基板２１は、上部透明基材３３と上部透明基材３３の表面に形成された複数本の上部透明電極１３とを有して構成される。各上部透明電極１３は表示領域１１内に形成される。
【００６４】
図８に示すように各上部透明電極１３は、いずれも複数の第２電極部４２がＹ１−Ｙ２方向に、前記第２電極部４２より細い連結部４３を介して連設された形態である。なお図８では一つの第２電極部４２及び連結部４３にのみ符号を付した。図８では、第２電極部４２の形状が略菱形形状で形成されているが、この形状に限定するものではない。
【００６５】
そして図８に示すように各上部透明電極１３は、Ｘ１−Ｘ２方向（第１の方向）に所定の間隔を空けて配列されている。
【００６６】
各第１電極部４０と各第２電極部４２とは平面視にて重ならないように配置されている。
【００６７】
この実施形態では指Ｆを表示面２０ａ（図６（ａ）参照）上に当接させたとき、指Ｆと各電極部４０，４２との間で生じる静電容量変化に基づいて、指Ｆの操作位置を検出することが可能になっている。
【００６８】
図６に示す第２の実施形態では、図６に示す下部基板２２及び上部基板２１を図７，図８に示す構造に置き換えることが出来る。
【００６９】
なお図１に示すように下部透明電極１４の間に、発熱体１６を這わせる第１の実施形態であっても、図７に示す各透明電極１４間に発熱体１６を形成するだけのスペースがあれば適用することが可能である。
【００７０】
または、図９（ａ）（ｂ）に示す構成を図６に示す第２の実施形態に適用することもできる。図９（ａ）は部分平面図であるが（ｂ）に示す絶縁層等を省略した。また図９（ｂ）は図９（ａ）のＥ−Ｅ線に沿って切断し矢印方向から見た部分縦断面図である。図９（ａ）（ｂ）では、一つの透明基材３８の同一表面に複数の透明電極５０，５１を配列し、このうち透明電極５０をＸ方向に向けて接続するとともに、透明電極５０の連結部５２上を絶縁層５３で覆う。そして、絶縁層５３上に各透明電極５１を接続するための連結部５４を形成し、連結部５４を介して各透明電極５１をＹ方向に繋げている。図９の構成では、同じ透明基材３８の同じ表面に、Ｘ方向に繋がる透明電極５０とＹ方向に繋がる透明電極５１とが形成されている。
【００７１】
そして図９（ｂ）に示すように、透明基材３８の下面側に図６（ｂ）に示したミアンダ形状の発熱体２５が配置されている。
【００７２】
また図６の第２の実施形態を、図４、図５に示した静電容量センサの構成（図４，図５に示す発熱体１６の形成の有無に関わらない）に適用することもできる。
【００７３】
図６に示す発熱体２５を、各透明電極１３，１４と同じ材質で形成することができる。すなわち例えば、各透明電極１３，１４及び発熱体２５を全てＩＴＯで形成することができる。
【００７４】
本実施形態における入力装置は、携帯電話機、デジタルカメラ、ＰＤＡ、ゲーム機、カーナビゲーション等に使用される。
【符号の説明】
【００７５】
１  入力装置
９  ヒーターパターン
１１  表示領域
１２  加飾領域
１３  上部透明電極
１４  下部透明電極
１５、１８  配線部
１６、２５  発熱体
２０  フロントパネル
２０ａ  表示面
２１  上部基板
２２  下部基板
２４  静電容量センサ
２６  透明基材
２９  液晶ディスプレイ
３０、３１，４５  光学透明粘着層（ＯＣＡ）
３２  下部透明基材
３３  上部透明基材
【図１】
2012069050.tif 000003
【図２】
2012069050.tif 000004
【図３】
2012069050.tif 000005
【図４】
2012069050.tif 000006
【図５】
2012069050.tif 000007
【図６】
2012069050.tif 000008
【図７】
2012069050.tif 000009
【図８】
2012069050.tif 000010
【図９】
2012069050.tif 000011